(57)【要約】【課題】印刷ジョブに応じて異なる被印刷物の性質を特に有利に考慮することができる空気圧式横針装置の提供を可能にする解決策を提供する。【解決手段】本発明は枚葉印刷機用の空気圧式横針装置に関し、この横針装置自体は吸引板を含んでおり、この吸引板上に印刷全紙を吸着させ得、かつ吸引板を相応に横移動させて、横の全紙当てに向かって変位させ得ることにより、全紙状の被印刷物が、全紙の走行方向に位置合わせされた縦の輪郭をその全紙当てに当てがわれることで、定義的に横で位置合わせされる。【選択図】図2
2008302695.tif 000002
【特許請求の範囲】
【請求項１】
枚葉紙印刷機用の横針装置であって、
各全紙の縦の輪郭(L)を接触させるために企図された当て面(K)を提供するための全紙当て(1)と、
各全紙を吸着する吸引ゾーンを提供するための吸引板機構(3)であり、前記吸引板機構(3)は、吸引板上面(3a)および吸引板下面(3b)、ならびに複数の、前記吸引板上面(3a)に通じる吸引口(4)を有する吸引板機構(3)と、
前記吸引口(4)に周囲の圧力レベルより低い圧力をかけるための、前記吸引口(4)と連絡している吸引管路機構(5)と、
を備えた横針装置において、
前記吸引板機構(3)を通る空気流量を調整するための調整機構を備えていることを特徴とする横針装置。
【請求項２】
前記調整機構が閉鎖機関(7)を含んでおり、前記閉鎖機関が流路断面を調整可能に変化させるために形成されていることを特徴とする請求項1に記載の横針装置。
【請求項３】
前記閉鎖機関(7)が、前記閉鎖機関によって、前記吸引口(4)を形づくる孔の一部を封鎖可能であるように形成されていることを特徴とする請求項2に記載の横針装置。
【請求項４】
前記閉鎖機関(7)が円盤要素として実施されており、前記吸引板下面(3b)に対する前記円盤要素の間隔を、調整可能に変化させ得ることを特徴とする請求項3に記載の横針装置。
【請求項５】
前記閉鎖機関(7)がネジ栓区間(8)を含んでおり、かつ前記吸引板下面(3b)に面した前記閉鎖機関(7)のヘッド面(7a)の間隔を、前記閉鎖機関(7)の相応の回転により変化させ得ることを特徴とする請求項4に記載の横針装置。
【請求項６】
前記吸引板機構(3)が、キャリッジ要素に結合されていることを特徴とする請求項1から5の少なくとも一項に記載の横針装置。
【請求項７】
前記閉鎖機関(7)が、同様に前記キャリッジ要素内に組み込まれていることを特徴とする請求項6に記載の横針装置。
【請求項８】
前記吸引管路機構にかけられた負圧を調整するための圧力変換器を備えていることを特徴とする請求項1から7の少なくとも一項に記載の横針装置。
【請求項９】
前記調整機構が、前記吸引板機構(3)に対して調整可能に可変に位置決め可能な閉鎖機関(7)によって形成されていることを特徴とする請求項1から8の少なくとも一項に記載の横針装置。
【請求項１０】
枚葉印刷機用の横針装置であって、
各全紙の縦の輪郭(L)を接触させるために企図された当て面(K)を提供するための全紙当て(1)と、
各全紙を吸着する吸引ゾーンを提供するための吸引板機構(3)であり、前記吸引板機構(3)は、吸引板上面(3a)および吸引板下面(3b)、ならびに複数の、前記吸引板上面(3a)に通じる吸引口(4)を有する吸引板機構(3)と、
前記吸引口(4)に周囲の圧力レベルより低い圧力をかけるための、前記吸引口(4)と連絡している吸引管路機構(5)と、
を備えた横針装置において、
閉鎖機関が設けられており、前記閉鎖機関によって、前記吸引口の一部を通る空気流量を調整可能に変化させ得ることを特徴とする横針装置。
【請求項１１】
前記空気流量に関し前記閉鎖機関(7)を介して制御可能な通抜孔(4)が、円形ゾーンの内側にあることを特徴とする請求項10に記載の横針装置。
【請求項１２】
枚葉印刷機用の横針装置であって、
各全紙の縦の輪郭(L)を接触させるために企図された当て面(K)を提供するための全紙当て(1)と、
各全紙を吸着する吸引ゾーンを提供するための吸引板機構(3)であり、前記吸引板機構(3)は、吸引板上面(3a)および吸引板下面(3b)、ならびに複数の、前記吸引板上面(3a)に通じる吸引口(4)を有する吸引板機構(3)と、
前記吸引口(4)に周囲の圧力レベルより低い圧力をかけるための、前記吸引口(4)と連絡している吸引管路機構(5)と、
を備えた横針装置において、
個々の吸引口を通る空気流量が、その都度異なる値に調整可能であることを特徴とする横針装置。
【請求項１３】
前記空気流量のために重要な通流断面が、前記吸引板機構(3)および前記吸引板機構に対して変位可能な閉鎖機関(7)によって調整可能であることを特徴とする請求項12に記載の横針装置。
【発明の詳細な説明】
【技術分野】
【０００１】
本発明は枚葉印刷機用の空気圧式横針装置に関し、この横針装置自体は吸引板を含んでおり、この吸引板上に印刷全紙を吸着させ得、かつ吸引板を相応に横移動させて、横の全紙当てに向かって変位させ得ることにより、全紙状の被印刷物が、全紙の走行方向に位置合わせされた縦の輪郭をその全紙当てに当てがわれることで、定義的に横で位置合わせされる。
【背景技術】
【０００２】
非特許文献１には、456〜457頁に、このような空気圧式横針装置の構造および機能方法が記載されている。この空気圧式横針装置は、平らで、貫通孔として実施された多数の吸引口を備えた吸引板を含んでいる。
【非特許文献１】Helmut Teschner、「Offsetdrucktechnik」、1989年、Fachschriften-Verlag GmbH; ISBN 3-921217-14-8、456〜457頁
【発明の開示】
【発明が解決しようとする課題】
【０００３】
本発明の課題は、印刷ジョブに応じて異なる被印刷物の性質を特に有利に考慮することができる空気圧式横針装置の提供を可能にする解決策を示すことである。
【課題を解決するための手段】
【０００４】
この課題は本発明により請求項1の特徴によって解決される。
【０００５】
本発明によれば、枚葉印刷機内に全紙を送るための横針装置は以下の特徴を備える:
・各全紙の縦の輪郭を接触させるために企図された当て面を提供するための全紙当て、
・各全紙を吸着する吸引ゾーンを提供するための吸引板機構であり、この吸引板機構は、吸引板上面および吸引板下面、ならびに複数の、吸引板上面に露出している、または吸引板上面に通じている吸引口を有する吸引板機構および、
・吸引口に周囲の圧力レベルより低い圧力をかけるための、吸引口と連絡している吸引管路機構、
また吸引板機構を通る空気流量を調整するための調整機構を特徴とする。
【０００６】
これにより枚葉印刷機用の横針装置を提供することが有利に可能になり、この横針装置の場合、吸引板機構によって実現された吸着特性が、大きな調整範囲内で効果的に、それぞれの処理すべき被印刷物の力学的な性質に適合され得る。本発明に基づくコンセプトによれば、特に、空気圧式横針装置の吸着特性の調整が、その際に吸引板を交換しなくても可能になる。
【０００７】
本発明の特に好ましい実施形態に基づき、調整機構は閉鎖機関を含むように形成され、この閉鎖機関によって、各吸引口へと延びる流路の断面を調整可能に変化させ得る。これに関し閉鎖機関は特に、この閉鎖機関によって、吸引口に通じる孔の少なくとも一部を封鎖可能であるように形成することができる。
【０００８】
本発明の特に好ましい実施形態に基づき、閉鎖機関は円盤要素として実施され、吸引板下面に対する閉鎖機関の間隔を調整可能に変化させ得る。これに関し閉鎖機関は、例えばネジ栓区間を備えることができ、このネジ栓区間は、相応なネジブッシュ内に入っており、これにより吸引板下面に面した閉鎖機関のヘッド面の間隔を、閉鎖機関を相応に回転させることで、調整可能に変化させ得る。吸引板の領域内に小さな通抜孔を設けることができ、この通抜孔は、その孔を介してレンチを、特に六角レンチを、円盤要素のほぼ中心に形成された差込口内に差し込むことができるように寸法を決定されている。手動により、特に差込レンチにより変位させ得る閉鎖機関としての閉鎖機関の形成の代わりに、閉鎖機関によってもたらされる絞り作用を、調整伝動装置を組み込んで適合させることも可能である。
【０００９】
閉鎖機関は、好ましくは、閉鎖機関によって吸引板機構の通抜孔の特定のグループを封鎖することができる、または少なくとも吸引性能に関して制御可能であるように形成される。吸引板機構は、好ましくは第2の吸引口グループを含んでおり、この第2の吸引口グループの吸着性能は、閉鎖機関による影響を受けない、または僅かな程度にしか影響を受けない。吸引口は、閉鎖機関によって捕捉される吸引口がほぼ円形のゾーンの内側にあり、これに対し閉鎖機関によって捕捉されない吸引口がそのゾーンの外にあるように配置することができる。本発明のコンセプトによれば、吸引特性に関して可変の、空気圧式横針の吸引面を実現することができる。
【００１０】
本発明による吸引板機構は、好ましくはキャリッジ要素に結合している。閉鎖機関も、直接的にこのキャリッジ要素内に組み込むことができ、これにより吸引板機構および閉鎖機関を共に、全紙の走行方向を横切って位置合わせされた引上げ方向に変位させ得る。好ましくは、さらに調整手段を備えており、この調整手段によって、全体的に吸引管路機構にかけられている負圧を調整可能に規定することもできる。
【００１１】
本発明の更なる詳細および特徴は、図面に関連する以下の説明から明らかである。
【発明を実施するための最良の形態】
【００１２】
図1に示された空気圧式横針装置自体は、全紙状の被印刷物Bの横の位置合わせのために働き、このために被印刷物の縦側の輪郭Lを全紙当て1と接触させる。全紙当て1は、例示的実施形態の場合、直方体状の桁要素として形成されている。この全紙当ては、好ましくは、全紙当ての位置合わせを例えば調整メカニズム2を介して調整可能に変化させ得るように、横針装置内に組み込まれる。全紙当て1は、全紙の縦の輪郭Lを接触させるために企図された当て面Kを形づくっている。
【００１３】
横針装置はさらに吸引板機構3を含んでおり、この吸引板機構は、例示的実施形態の場合、多孔板構造として実施されており、この多孔板構造は、複数の、図1で確認できる吸引板上面3aとその下にある吸引板下面3b(図2を参照)の間に延びる貫通孔4を備えている。この貫通孔4は、多数の、吸引板上面に移行する吸引口を形づくっている。貫通孔4は、この図では詳細に確認できない管路システムを介して吸引管路機構5と連絡しており、この吸引管路機構5は、この場合はパイプ栓として実施された区間を含んでおり、その区間は、例えば柔軟なホースラインを介して負圧源と接続することができ、これにより吸引口は、周囲の圧力レベルより低い圧力をかけられる。
【００１４】
以下に図2に関連してもっとさらに分かりやすく示されるように、本発明による空気圧式横針装置は、吸引板機構3を通る空気流量を調整するための調整機構を備えることを特色とする。この調整機構は、当該の例示的実施形態の場合、閉鎖機関7(図2を参照)を含んでおり、この閉鎖機関によって、ここでは(太線で強調された)円形ゾーン内にある貫通孔4aを通る空気流量を調整することができる。
【００１５】
これにより吸引板機構3によって、吸引板機構上を走る被印刷物にかけられる吸引力を調整することが可能になり、このために、吸引管路機構5にかけられている負圧の特別な変更を行う必要はない。これにより特に有利には、吸引特性が、吸引板機構3を交換しなくても、被印刷物の力学的性質に適合され得る。
【００１６】
図2から分かるように、本発明による調整機構7は、吸引板機構3の下にある領域内に存在している。ここで示された例示的実施形態の場合、閉鎖機関7は、閉鎖機関によって、吸引口を形づくる孔4の一部だけを封鎖可能であるように形成されている。
【００１７】
閉鎖機関7は、この例示的実施形態の場合、円盤要素として実施されており、吸引板下面3bに対する円盤要素の間隔は調整可能に変化させ得る。ここで示された例示的実施形態の場合、閉鎖機関7がネジ栓区間8を含んでおり、このネジ栓区間は相応の雌ネジ孔内に入っている。これにより、吸引板下面3bに面した閉鎖機関のヘッド面7aと吸引板機構3の間の間隔Aを、閉鎖機関7の相応な回転により、必要に応じて調整することが可能になる。ここで示された例示的実施形態の場合、吸引板機構3内に貫通口4aが設けられており、この貫通口は、同様に吸引孔としての機能を果たしており、それに加え、この貫通口を介してレンチを、例えば六角孔として形成された閉鎖機関7のレンチ口7b内に差し込むことができるように形成され、かつ配置されている。
【００１８】
ここで示された例示的実施形態では実現していないが、複数のこのような閉鎖要素を備えることができ、したがって例えば吸引板機構3内に形成された貫通口のうちのもっと大きな領域を、貫通口を介してもたらされる吸引作用に関して適合させ得る。
【００１９】
標準的に吸引板機構3に対して変位可能な構造としてここで説明された閉鎖機関の例示的実施形態の代わりに、吸引板機構3の特定の孔の封鎖を、他のメカニズムによって、特にスライド絞り機構によって調整することも可能であり、このスライド絞り自体は、吸引板機構3の下面の領域において、吸引板機構と平行に変位可能である。直接的に吸引板機構3に閉鎖機関7用の懸架機構を形成することも可能である。
【００２０】
吸引口を、特に吸引口グループを少なくとも部分的に覆うことにより、機能面が縮小される、または逆に拡大される。これにより吸引板機構の領域内で保たれる吸引力が低下する、または増大する。これは最も様々な被印刷物を処理することができ、吸引板を交換する必要はない。
【００２１】
本発明は、空気圧式横針の多数の構造形式で適用可能である。本発明による横針装置は、特に既存の横針装置の装備を変えることでも実現可能であり、そのために本発明の閉鎖要素を従来の横針装置内に組み込む。これは特に、従来の吸引板機構を、特異的な本発明による吸引板機構と取り替えることによって行うことができ、その際、この特異的な吸引板機構は好ましくは、吸引板機構に、既に閉鎖要素用の相応な結合部が設けられているように形成される。この閉鎖要素はさらに、閉鎖要素によってスライダ面またはスタンプ面が提供されるように形成することができ、このスライダ面またはスタンプ面により、吸引板機構に対する閉鎖要素の位置決めに応じて、吸引板機構の吸引口のための特定の貫通断面調整および/または作動パターンが達成される。
【図面の簡単な説明】
【００２２】
【図１】本発明による横針装置の俯瞰図であり、この横針装置自体は、吸引板機構を通る空気流量を調整するための調整機構を備えている。
【図２】図1に基づく横針装置の内部構造を示すための、特に吸引板機構の下に配置された閉鎖機関の配置および機能方法を示すための軸方向断面図である。
【符号の説明】
【００２３】
1    当て
2    当て調整メカニズム
3    吸引板機構
3a    吸引板上面
3b    吸引板下面
4    吸引口
4a    空気流量に関し調整可能な吸引口
5    吸引管路機構
7    閉鎖機関
7a    ヘッド面
7b    レンチ差込孔
8    ネジ区間
B    全紙
K    当て面
L    縦の輪郭
【図１】
2008302695.tif 000003
【図２】
2008302695.tif 000004